(57)【要約】【課題】収納できる食器類の大きさを確保しつつ、食器洗い機の設置高さが低く、開放感の優れた食器洗い機を提供する。【解決手段】上部に開口部８を設けた洗浄槽７と、前記洗浄槽７に設けた一対の軸受け部１１に回動自在に軸支され前記開口部８を開閉すると共に軸半径の異なる第１、第２の蓋体１２、１３とを備え、前記開口部８の閉成時に、軸半径の小さい第２の蓋体１３が最上部に位置するようにしたもので、第１、第２の蓋体１２、１３の開放による設置スペースを少なくし、設置性の向上を図るとともに、対面キッチン等のオープンタイプのリビングと一体化しているキッチンに食器洗い機を設置した場合でも、収納できる食器類の大きさを確保しつつ、食器洗い機の設置高さを低く抑えた開放感の優れた食器洗い機を提供することができる。【選択図】図２
2006167021.tif 000002
【特許請求の範囲】
【請求項１】
上部に開口部を設けた洗浄槽と、前記洗浄槽に設けた一対の軸受け部に回動自在に軸支され前記開口部を開閉すると共に軸半径の異なる２枚の蓋体とを備え、前記開口部の閉成時に、前記２枚の蓋体の内、軸半径の小さい方の蓋体が最上部に位置するようにした食器洗い機。
【請求項２】
軸半径の小さい方の蓋体の最上部より下方に、洗浄槽と前記蓋体をシールするシール部材を配設した請求項１に記載の食器洗い機。
【請求項３】
軸半径の小さい方の蓋体に、排気口を設けた請求項１又は２に記載の食器洗い機。
【請求項４】
排気口を蓋体の最上部近傍に配置した請求項３に記載の食器洗い機。
【請求項５】
洗浄槽内に回転自在に配設された洗浄ノズルと、食器類を収納する食器かごとを備え、軸半径の小さい方の蓋体の内面の、前記食器類の上方に位置する部分に、前記蓋体の内面に付着した水滴をガイドする水ガイドを設けた請求項１〜４のいずれか１項に記載の食器洗い機。
【発明の詳細な説明】
【技術分野】
【０００１】
本発明は、食器等の洗浄および乾燥を行う食器洗い機に関するものである。
【背景技術】
【０００２】
従来の、この種の食器洗い機は、図４に示すように構成されていた。以下、その構成について同図を用いて説明する。
【０００３】
食器洗い機本体１内に、前面に開口部４を有し食器類２を収容する洗浄槽３が設けられ、この開口部４を上蓋体５ａと下蓋体５ｂとに上下に分割された蓋体５により開閉するとともに、洗浄槽３の底部に洗浄水を噴射する洗浄のズル６が回転自在に配設されている。
【０００４】
食器洗い機の基本的な動作は、一般的によく知られているので、以下に簡単に述べると、使用者が蓋体５を開放し、食器洗い機本体１内の洗浄槽３に配置された食器かごに汚れた食器類２をセットする。
【０００５】
つぎに、蓋５を閉め、運転を開始すると、洗浄槽３の底部に配置されたヒータ（図示なし）によって洗浄水を加熱しながら、洗浄ノズル６から食器類２に向かって噴射し、食器類２の汚れを落とす洗浄行程を行う。その後、食器類２をすすいだ後、乾燥行程を行って運転を終了する（例えば、特許文献１参照）。
【特許文献１】特開２００１−２７５９１５号公報
【発明の開示】
【発明が解決しようとする課題】
【０００６】
しかしながら、このような従来の食器洗い機の構成では、蓋体５の開放時の蓋体５の大きさが設置スペースを決定するため、設置スペースを小さくする方法として、上述のように蓋体５を２分割し、下蓋体５ｂを前面に、上蓋体５ａを食器洗い機本体１の上方にそれぞれ移動させるのが一般的であり、そのため、特に、食器洗い機本体１より上方に移動する上蓋体５ａの分、設置スペースが大きく必要になるという課題を有していた。
【０００７】
また、食器洗い機本体１の大きさは、開口部４と開口部４の外方に配設されるシール部（図示なし）の構成で決められ、開口部４を略垂直面にする限り、シール部を開口部４の上方に設けることになり、その結果食器洗い機本体１の高さが高くなり、対面キッチン等のオープンタイプのリビングと一体化しているキッチンに設置された場合、開放感がなくなるという課題を有していた。
【０００８】
本発明は、上記従来の課題を解決するもので、蓋体の開放による設置スペースを少なくし、設置性の向上を図るとともに、対面キッチン等のオープンタイプのリビングと一体化しているキッチンに食器洗い機を設置した場合でも、収納できる食器類の大きさを確保しつつ、食器洗い機の設置高さを低く抑えた開放感の優れた食器洗い機を提供することを目的としている。
【課題を解決するための手段】
【０００９】
前記課題を解決するために、本発明の食器洗い機は、上部に開口部を設けた洗浄槽と、前記洗浄槽に設けた一対の軸受け部に回動自在に軸支され前記開口部を開閉すると共に軸半径の異なる２枚の蓋体とを備え、前記開口部の閉成時に、前記２枚の蓋体の内、軸半径の小さい方の蓋体が最上部に位置するようにしたもので、蓋体の開放による設置スペースを少なくし、設置性の向上を図るとともに、対面キッチン等のオープンタイプのリビングと一体化しているキッチンに食器洗い機を設置した場合でも、収納できる食器類の大きさを確保しつつ、食器洗い機の設置高さを低く抑えた開放感の優れた食器洗い機を提供することができる。
【発明の効果】
【００１０】
本発明の食器洗い機は、蓋体の開放による設置スペースを少なくし、設置性の向上を図るとともに、対面キッチン等のオープンタイプのリビングと一体化しているキッチンに設置する場合も、収納できる食器類の大きさを確保しつつ、設置高さが低く、開放感に優れている。
【発明を実施するための最良の形態】
【００１１】
第１の発明は、上部に開口部を設けた洗浄槽と、前記洗浄槽に設けた一対の軸受け部に回動自在に軸支され前記開口部を開閉すると共に軸半径の異なる２枚の蓋体とを備え、前記開口部の閉成時に、前記２枚の蓋体の内、軸半径の小さい方の蓋体が最上部に位置するようにしたもので、蓋体の開放による設置スペースを少なくし、設置性の向上を図るとともに、対面キッチン等のオープンタイプのリビングと一体化しているキッチンに食器洗い機を設置した場合でも、収納できる食器類の大きさを確保しつつ、食器洗い機の設置高さを低く抑えた開放感の優れた食器洗い機を提供することができる。
【００１２】
第２の発明は、特に、第１の発明の軸半径の小さい方の蓋体の最上部より下方に、洗浄槽と前記蓋体をシールするシール部材を配設したもので、従来の開口部のシールに必要な構造体の分食器洗い機本体の高さを小さくし、より開放感を向上することができる。
【００１３】
第３の発明は、特に、第１又は第２の発明の軸半径の小さい方の蓋体に、排気口を設けたもので、軸受け部を支点とし、回動する蓋体の軌道に影響のない蓋体内部に排気口構造を容易に構成できるとともに、乾燥時に加熱され、洗浄槽上部に溜まる加熱空気の排出性を向上させることができる。
【００１４】
第４の発明は、特に、第３の発明の排気口を蓋体の最上部近傍に配置したもので、乾燥時に加熱され、洗浄槽の上部に溜まる加熱空気の排出性をより向上させることができる。
【００１５】
第５の発明は、特に、第１〜４のいずれか１つの発明の洗浄槽内に回転自在に配設された洗浄ノズルと、食器類を収納する食器かごとを備え、軸半径の小さい方の蓋体の内面の、前記食器類の上方に位置する部分に、前記蓋体の内面に付着した水滴をガイドする水ガイドを設けたもので、軸受け部を支点とし、回動する蓋体の軌道に影響のない蓋体内部に食器類の上方から洗浄水を集めて滴下する水ガイドを容易に形成することができる。
【００１６】
以下、本発明の実施の形態について、図面を参照しながら説明する。なお、この実施の形態により、本発明が限定されるものでは無い。
【００１７】
（実施の形態１）
図１は、本発明の第１の実施の形態における食器洗い機の斜視図、図２（ａ）は、同食器洗い機の側断面図（蓋閉成時）、図２（ｂ）は、同食器洗い機の側断面図（蓋開成時）、図３は、同食器洗い機の要部断面図である。
【００１８】
図１〜３において、食器洗い機本体３０は、上方に開口部８を有する洗浄槽７を有し、開口部８より、洗浄槽７内に食器類９を収容した食器かご１０を入れる。洗浄槽７の左右に一対の軸受け部１１が形成されている。開口部８は、軸受け部１１を略中心として、前下がりに傾斜し、略平面状に形成されている。また、軸受け部１１を支点に回動自在に開口部８を覆う２枚の蓋体、すなわち第１の蓋体１２と第２の蓋体１３とを設け、第１の蓋体１２は、洗浄槽７の前面を覆い、第１の蓋体１２より軸半径の小さい第２の蓋体１３は、洗浄槽７の上部を覆うよう配置されており、開口部８の閉成時に、第２の蓋体１３の前端が、第１の蓋体１２に設けた第１の係止部１４で係止され、後端が、開口部８に設けた第２の係止部１５で係止されるようになっている。また、第１の蓋体１２、第２の蓋体１３はそれぞれ開口部８より洗浄槽７の後部へ回転し、２枚が重なり合って収納される。
【００１９】
また、図２に示すように、軸受け部１１は、洗浄槽７に設けた軸受け部１１ａに、外側から順に、第１の蓋体１２に設けた軸受け部１１ｂと第２の蓋体１３に設けた１１ｃが取付けられ、枢軸１６により回転自在に軸支されている。洗浄槽７の底部には、洗浄水を噴射すると共に回転自在の洗浄ノズル１７と、ヒータ１８が配置されている。
【００２０】
また、第２の蓋体１３には、閉成時に最上部近傍になる位置に排気口２６が設けられ、最上部より後方の後端に、第１の蓋体１２と同じ半径からなるシール部１９を設け、開口部８の上端でラジアル方向にシールするシール部材２０を配設している。また、最上部より前方に、第１の蓋体１２とラジアル方向にシールするシール部材２１を配設している。また、第２の蓋体１３の最上部の内面の、食器類９の上方に位置する部分に突起状の水ガイド２２を一体的に形成している。
【００２１】
排気口２６は、機外側の排気出口２３を設けた第２の蓋体１３と、機内側の排気入口２４を設けた排気口部材２５とで構成され、洗浄ノズル１７からの噴射水が直接機外に出ないよう、ラビリンス形状を構成しつつ、排気出口２３および排気入口２４を第２の蓋体１３の最上部近傍に配置している。
【００２２】
上記構成による食器洗い機の動作、作用を説明すると、食器類９の収容時に、第１の蓋体１２、第２の蓋体１３の２つが洗浄槽７の後部に収容されるため、第１、第２の蓋体１２、１３の開放による設置スペースを少なくするとともに、第１の蓋体１２、第２の蓋体１３が、重なり合って収容されるため、洗浄ノズル１７や洗浄槽７の底部に当接することなく開口部８を略平面上にすることができるため、食器類９の取り出し性、収容性を向上することができる。
【００２３】
また、第１、第２の蓋体１２、１３の開放時に、洗浄槽７内に第１の蓋体１２、第２の蓋体１３が収容されるため、第１の蓋体１２、第２の蓋体１３の内部に運転中に付着した水滴が機外に漏出するのを防ぐことができる。
【００２４】
また、第１の蓋体１２、第２の蓋体１３の閉成時に、軸半径の小さい第２の蓋体１３が最上部になるよう構成しているため、食器洗い機本体３０の高さを低くすることができ、対面キッチン等のオープンタイプのリビングと一体化しているキッチンに食器洗い機を設置した場合でも、開放感を向上させることができる。
【００２５】
また、第２の蓋体１３の最上部より後方にシール部１９を設けているため、第２の蓋体１３を食器洗い機本体３０の最上部とすることができ、より食器洗機本体３０の高さを抑えることができる。
【００２６】
また、排気口２６を第２の蓋体１３の最上部に配設しているため、第２の蓋体１３の最上部に滞留するヒータ１８によって加熱された加熱空気を効率よく排出させることができるため、乾燥効率を向上することができる。
【００２７】
また、排気口２６は、ラビリンス形状を構成する際に第２の蓋体１３の内部に配設しているため、部分的に内方に排気口部材２５が突出しても、第１、第２の蓋体１２、１３の開閉に支障がなく容易に構成することができる。
【００２８】
また、食器類９の上方の第２の蓋体１３の内面に、食器類９の位置に合わせた突起状の水ガイド２２を一体的に形成しているため、洗浄ノズル１７によって噴射された洗浄水を食器類９の上方から水ガイド２２に集めて滴下させることで洗浄効率を向上させることができるとともに、水ガイド２２を構成するために部分的に内方に構造体が突出しても、第１、第２の蓋体１２、１３の開閉に支障がなく容易に構成することができる。
【００２９】
このように本実施の形態によれば、上方に開口部８を設けた洗浄槽７と、前記洗浄槽７に設けた一対の軸受け部１１に回動自在に軸支され開口部８を覆う第１、第２の蓋体１２、１３とを備え、軸半径の小さい第２の蓋体１３が閉成時に最上部に位置するよう構成したことにより、第１、第２の蓋体１２、１３の開放による設置スペースを少なくし、設置性の向上を図るとともに、対面キッチン等のオープンタイプのリビングと一体化しているキッチンに食器洗い機を設置した場合でも、収納できる食器類の大きさを確保しつつ、食器洗い機の設置高さを低く抑えた開放感の優れた食器洗い機を提供することができる。
【００３０】
また、軸半径の小さい第２の蓋体１３の方に洗浄槽８と第２の蓋体１３をシールするシール部材２０を設け、前記シール部材２０は、第２の蓋体１３の最上部より下方に配設したことにより、また、軸半径の小さい方の第２の蓋体１３に排気口２６を設けたことにより、視界を遮らず、より開放感を向上させることができる。
【００３１】
また、排気口２６を第２の蓋体１３の最上部近傍に配置したことにより、食器類が収納され、水平方向への光が透過しにくい場合でも洗浄槽７内部に採光することができ、開放感を向上させることができる。
【００３２】
また、洗浄槽７内に回転自在に配設した洗浄ノズル１７と、食器類９を収納する食器かご１０とを備え、軸半径の小さい方の第２の蓋体１３の内面の前記食器類９の上方に位置する部分に水ガイド２２を設けることにより、枢軸１６を支点とし、回動する第１、第２の蓋体１２、１３の軌道に影響のない内部に食器類９の上方から洗浄水を集めて滴下する水ガイド２２を容易に形成することができる。
【産業上の利用可能性】
【００３３】
以上のように、本発明に係る食器洗い機は、蓋体の開放による設置スペースを少なくし、設置性の向上を図るとともに、対面キッチン等のオープンタイプのリビングと一体化しているキッチンに設置する場合も、収納できる食器類の大きさを確保しつつ、設置高さが低く、開放感に優れているもので、食器洗い機に限らず、衣類洗濯機など他の洗浄機器にも適用できる。
【図面の簡単な説明】
【００３４】
【図１】本発明の実施の形態１における食器洗い機の斜視図
【図２】（ａ）同食器洗い機の蓋閉成時の側断面図（ｂ）同食器洗い機の蓋開成時の側断面図
【図３】同食器洗い機の要部断面図
【図４】従来の食器洗い機の側断面図
【符号の説明】
【００３５】
７  洗浄槽
８  開口部
１１  軸受け部
１２  第１の蓋体（蓋体）
１３  第２の蓋体（蓋体）
３０  食器洗い機本体
【図１】
2006167021.tif 000003
【図２】
2006167021.tif 000004
【図３】
2006167021.tif 000005
【図４】
2006167021.tif 000006